(57)【要約】【課題】包装材が無駄にならず、製造が容易な緩衝機能付き包装箱を提供する。【解決手段】包装箱１は、組みたて前には長方形状の包装材の一端から他端に向かって、蓋部３、第１高さ規定部１７、底面部１９、第２高さ規定部７、第１緩衝部５、第３高さ規定部９、収容底面部１３、第４高さ規定部１０、第２緩衝部６、及び接続部１５が順に配置されている。接続部１５と第１高さ規定部１７とを接続し、収容底面部１３と底面部１９とが接触した状態で各折り曲げ線を折り曲げる作業のみで、包装箱１が形成される。第１緩衝部５と第２緩衝部６とは、共に略コの字形状で、開口部が対向して備えられて収容部をなしている。収容部に製品を収納すると、製品の前後左右の移動が規制され、緩衝機能として作用する。また、包装材に折り曲げ線及び切り込み線はあるが、取り除く部分はなく、包装材が無駄にならない。【選択図】図１
2006273402.tif 000002
【特許請求の範囲】
【請求項１】
略長方形の蓋部と、
前記蓋部の回動の回動軸である第１折り曲げ線を介して前記蓋部に接続された第１高さ規定部と、
第２折り曲げ線を介して前記第１高さ規定部に接続され、前記蓋部に対向する底面部と、
第３折り曲げ線を介して前記底面部に接続され、前記第１高さ規定部と対向する第２高さ規定部と、
前記底面部上に位置し、第４折り曲げ線を介して前記第２高さ規定部に接続された第１緩衝部と、
前記底面部上に位置し、第５折り曲げ線を介して前記第１緩衝部に接続された収容部と、
前記底面部上に位置し、第６折り曲げ線を介して前記収容部に接続された第２緩衝部と、
第７折り曲げ線を介して前記第２緩衝部に接続され、前記第１高さ規定部に接続される接続部と、を備え、
前記第１緩衝部と、前記第２緩衝部とは、平面視でそれぞれ略コの字状をなし、略コの字状の開口部が互いに向き合って、前記収容部に収容された製品の４方向の移動を規制し、
折り曲げ前の状態では、長方形状の包装材の一端側から他端側に向かって、前記蓋部、前記第１高さ規定部、前記底面部、前記第２高さ規定部、前記第１緩衝部、前記収容部、前記第２緩衝部、及び前記接着部が順に配置され、
折り曲げのみにより、全体として略直方体に形状化されていることを特徴とする緩衝機能付き包装箱。
【請求項２】
前記収容部は、前記５前記第１緩衝部に接続され、前記第２高さ規定部に対向する第３高さ規定部と、第８折れ曲げ線を介して前記第３高さ規定部に接続され、前記底面部に対向する収容底面部と、第９折れ曲げ線を介して一方の端辺が前記収容底面部に接続され、前記第６折り曲げ線を介して他方の端辺が前記第２緩衝部に接続され、前記第１高さ規定部に対向する第４高さ規定部と、を有し、
前記第３高さ規定部と、前記第２高さ規定部との間には、前記第３高さ規定部に切込みを入れることにより形成され、前記収容底面部と略同一面上に延びる少なくとも１つの第１移動規制部が設けられ、
前記第４高さ規定部と、前記第１高さ規定部との間には、前記第４高さ規定部に切込みを入れることにより形成され、前記収容底面部と略同一面上に延びる少なくとも１つの第２移動規制部が設けられ、
前記第１移動規制部と、前記第２移動規制部とにより、前記収容部に収容された製品の２方向の移動を規制することを特徴とする請求項２に記載の緩衝機能付き包装箱。
【請求項３】
前記蓋部に代えて、
前記蓋部の回動軸である前記第１折り曲げ線を介して前記第１高さ規定部に接続された第５高さ規定部と、
第１０折り曲げ線を介して前記第５高さ規定部に接続され、前記底面部に対向する上面部と、
第１１折り曲げ線を介して前記上面部に接続され、前記第５高さ規定部と対向する第６高さ規定部と、
前記上部面及び前記第１緩衝部に対向し、第１２折れ曲げ線を介して前記第６高さ規定部に接続された第３緩衝部と、
前記収容部に対向し、第１３折り曲げ線を介して前記第３緩衝部に接続された上収容部と、
前記上部面及び前記第２緩衝部に対向し、第１４折り曲げ線を介して前記上収容部に接続された第４緩衝部と、
第１５折り曲げ線を介して前記第４緩衝部に接続され、前記第５高さ規定部と接続される上接続部と、を配置し、
前記第３緩衝部と、前記第４緩衝部とは、平面視でそれぞれ略コの字状をなし、略コの字状の開口部が互いに向き合って、前記上収容部に収容された製品の４方向の移動を規制し、
折り曲げ前の状態では、長方形状の包装材の一端側から他端側に向かって、前記上接続部、前記第４緩衝部、前記上収容部、前記第３緩衝部、前記第６高さ規定部、前記上面部、前記第５高さ規定部、前記第１高さ規定部、前記底面部、前記第２高さ規定部、前記第１緩衝部、前記収容部、前記第２緩衝部、及び前記接着部が順に配置され、
折り曲げのみにより、全体として略直方体に形状化されていることを特徴とする請求項１又は２に記載の緩衝機能付き包装箱。
【発明の詳細な説明】
【技術分野】
【０００１】
本発明は、緩衝機能を有する緩衝機能付き包装箱に関する。
【背景技術】
【０００２】
従来、電子機器等を包装箱に入れて梱包する際に用いられる包装箱として、段ボールを使用したものがある。このような包装箱は、例えば一枚の段ボールを所望の外形に切り出し、切り出した段ボールの不要な部分をさらに切断して除去し、折線に沿って折る、嵌め込み、接着剤等で接続するなどの工程を経て製作される。（例えば、特許文献１、２参照）。
【０００３】
【特許文献１】実開平６−２０２７９号公報
【特許文献２】実開平７−３５３７０号公報
【発明の開示】
【発明が解決しようとする課題】
【０００４】
しかしながら、上記のような包装箱は、１枚の段ボール等の包装材を所望の外形に切り出し、切り出した包装材の不要部分を取り除くため、無駄になる部分が生じてしまう。また、組み立ての際には、複数の部分を夫々折線に沿って多方向から折り曲げる作業や、嵌めこみ等の作業が必要であり、製造方法が複雑である。
【０００５】
そこで本発明は、包装材が無駄にならず、製造方法が容易な緩衝機能付き包装箱を提供することを目的とする。
【課題を解決するための手段】
【０００６】
上記目的を達成するために、本発明は、折り曲げ前の状態では、長方形状の包装材の一端側から他端側に向かって、蓋部、第１高さ規定部、底面部、第２高さ規定部、第１緩衝部、収容部、第２緩衝部、及び接続部が順に配置され、折り曲げのみにより、全体として略直方体に形状化されている緩衝機能付き包装箱を提供している。
【０００７】
蓋部は、略長方形をなしている。第１高さ規定部は、蓋部の回動の回動軸である第１折り曲げ線を介して蓋部に接続されている。底面部は、第２折り曲げ線を介して第１高さ規定部に接続されており、蓋部に対向している。第２高さ規定部は、第３折り曲げ線を介して底面部に接続され、第１高さ規定部と対向している。
【０００８】
第１緩衝部は、底面部上に位置し、第４折り曲げ線を介して第２高さ規定部に接続されている。収容部は、底面部上に位置し、第５折り曲げ線を介して第１緩衝部に接続されている。第２緩衝部は、底面部上に位置し、第６折り曲げ線を介して収容部に接続されている。接続部は、第７折り曲げ線を介して第２緩衝部に接続され、第１高さ規定部に接続されている。第１緩衝部と、第２緩衝部とは、平面視でそれぞれ略コの字状をなし、略コの字状の開口部が互いに向き合って、収容部に収容された製品の４方向の移動を規制する。
【０００９】
かかる構成によれば、緩衝機能付き包装箱の製造時に包装材の無駄になる部分がない。また、折り曲げ作業のみで箱の組み立てを行うことができるので、嵌めこみ等の作業もなく、製造が容易である。さらに、第１緩衝部と第２緩衝部との略コの字状の開口部が互いに向き合っているので、収容部に収容された製品の４方向の移動を規制することができる。
【００１０】
ここで、収容部は、第３高さ規定部、収容底面部、第４高さ規定部、少なくとも１つの第１移動規制部、及び少なくとも１つの第２移動規制部を有することが好ましい。第３高さ規定部は、第１緩衝部に接続され、第２高さ規定部に対向している。収容底面部は、第８折り曲げ線を介して第３高さ規定部に接続され、底面部に対向している。第４高さ規定部は、第９折り曲げ線を介して一方の端辺が収容底面部に接続され、第６折り曲げ線を介して他方の端辺が第２緩衝部に接続され、第１高さ規定部に対向している。
【００１１】
第１移動規制部は、第３高さ規定部と、第２高さ規定部との間に設けられ、第３高さ規定部に切込みを入れることにより形成され、収容底面部と略同一面上に延びている。第２移動規制部は、第４高さ規定部と、第１高さ規定部との間に設けられ、第４高さ規定部に切込みを入れることにより形成され、収容底面部と略同一面上に延びている。
【００１２】
かかる構成によれば、第１移動規制部と、第２移動規制部とにより、収容部に収容された製品の２方向の移動がさらに規制される。よって、緩衝機能をより向上させることができる。
【００１３】
また、蓋部に代えて、蓋部を除いた上記緩衝機能付き包装箱を配置し、互いに対向させる形状であることが好ましい。すなわち、折り曲げ前の状態では、長方形状の包装材の一端側から他端側に向かって、上接続部、第４緩衝部、上収容部、第３緩衝部、第６高さ規定部、上面部、第５高さ規定部、第１高さ規定部、底面部、第２高さ規定部、第１緩衝部、収容部、第２緩衝部、および接続部が順に配置され、折り曲げのみにより、全体として略直方体に形状化可能である
【００１４】
第５高さ規定部は、蓋部の回動軸である第１折り曲げ線を介して第１高さ規定部に接続されている。上面部は、第１０折り曲げ線を介して第５高さ規定部に接続され、底面部に対向している。第６高さ規定部は、第１１折り曲げ線を介して上面部に接続され、第５高さ規定部と対向している。
【００１５】
第３緩衝部は、上面部及び第１緩衝部に対向し、第１２折り曲げ線を介して第６高さ規定部に接続されている。上収容部は、収容部に対向し、第１３折り曲げ線を介して第３緩衝部に接続されている。第４緩衝部は、上面部及び第２緩衝部に対向し、第１４折り曲げ線を介して上収容部に接続されている。第３緩衝部と、第４緩衝部とは、平面視でそれぞれ略コの字状をなし、略コの字状の開口部が互いに向き合って配置されている。上接続部は、第１５折り曲げ線を介して第４緩衝部に接続され、第５高さ規定部と接続されている。
【００１６】
かかる構成によれば、第１から第４緩衝部のコの字形状を変形させることで、例えば階段形状の製品等、様々な形状の製品に対応した緩衝機能付き包装箱を提供することができる。
【発明の効果】
【００１７】
本発明によれば、包装材が無駄にならず、製造方法が容易な緩衝機能付き包装箱を提供することができる。
【発明を実施するための最良の形態】
【００１８】
以下、本発明の実施の形態を添付図面を参照して説明する。図１〜図７を参照しながら、本発明の第１の実施の形態による緩衝機能付き包装箱（以下、単に包装箱という）１について説明する。図１に示すように、第１の実施の形態による包装箱１は、段ボール等の包装材で形成され、開閉可能な蓋を有する略直方体形状の緩衝機能付き包装箱である。以下の説明においては、包装箱１における上下関係は、蓋部３が備えられた側を鉛直方向上側とし、鉛直方向に直交する方向を水平方向とする。
【００１９】
まず、組み立て前の包装箱１について図２を参照して説明する。組み立て前の包装箱１は、短辺４９、５１と長辺５３、５５との４辺からなる長方形状をなしている。そして、包装箱１は、組み立て前の状態では、一方の短辺５１から他方の短辺４９に向かって、蓋部３、第１高さ規定部１７、底面部１９、第２高さ規定部７、第１緩衝部５、第３−１高さ規定部９、第３−２高さ規定部８、収容底面部１３、第４−１高さ規定部１０、第４−２高さ規定部１１、第２緩衝部６、及び接続部１５が順に配置されている。
【００２０】
蓋部３は、略長方形をなしている。第１高さ規定部１７は、略長方形をなし、第１折り曲げ線２３を介して蓋部３に接続されている。底面部１９は、蓋部３と略同形状をなし、第２折り曲げ線２５を介して第１高さ規定部１７に接続されている。第２高さ規定部７は、第１高さ規定部１７と略同形状をなし、第３折り曲げ線２７を介して底面部１９に接続されている。
【００２１】
第１緩衝部５は、平面視で略コの字形状であり、第４折り曲げ線２９を介して第２高さ規定部７に接続されている。第１緩衝部５は、短辺４９に沿って延びる第１基部５Ａと、第１基部５Ａの長手方向両端からそれぞれ長辺５３に沿って延びる一対の第１腕部５Ｂ、５Ｂとを有している。この第１基部５Ａと、第１腕部５Ｂ、５Ｂとによって、第１緩衝部５は、略コの字形状をなしている。
【００２２】
第３−１高さ規定部９は、第１緩衝部５の第１基部５Ａに第５−１折り曲げ線３２を介して接続され、その一部は、第１緩衝部５の開口部内に位置している。また、第３−１高さ規定部９の第１基部５Ａから離間する側には、コの字形状の切り込み線３７、３９、４１が形成されている。第３−１高さ規定部９に切り込み線３７、３９、４１を入れることにより、第１移動規制部１２ａ、１２ｂ、１２ｃが形成されている。
【００２３】
また、第３−１高さ規定部９の短辺４９に沿う方向の両端には、それぞれ切り込み線３４が形成されている。切り込み線３４を介して第３−１高さ規定部９と第１腕部５Ｂとは隣接している。また、切り込み線３４は、第３−１高さ規定部９の長辺５５に沿って延びる辺よりも長く形成されている。第３−２高さ規定部８、８は、第１緩衝部５の第１腕部５Ｂ、５Ｂに、第５−２折り曲げ線３０を介してそれぞれ接続されている。第３−２高さ規定部８、８は、切り込み線３４を介して、第３−１高さ規定部９と隣接している。
【００２４】
収容底面部１３は、第３−１高さ規定部９と第８−１折り曲げ線４３を介して接続され、かつ第３−２高さ規定部８、８と夫々第８−２折り曲げ線４５、４５を介して接続されている。第８−２折り曲げ線４５は、第８−１折り曲げ線４３よりも短辺４９側に位置している。また、収容底面部１３と、第１移動規制部１２ａ、１２ｂ、１２ｃとは、連接されている。
【００２５】
第４−１高さ規定部１０、第４−２高さ規定部１１、及び第２緩衝部６は、第３−１高さ規定部９、第３−２高さ規定部８、及び第１緩衝部５と、収容底面部１３を挟んで対称形状をなすように配置されている。よって、第４−１高さ規定部１０は、第９−１折り曲げ線４４を介して収容底面部１３に接続され、第４−２高さ規定部１１は、第９−２折り曲げ線４６を介して収容底面部１３に接続されている。また、第２緩衝部６は、第６−１折り曲げ線３３、第６−２折り曲げ線３１を介して、第４−１高さ規定部１０及び第４−２高さ規定部１１と接続されている。
【００２６】
第４−１高さ規定部１０には、第３−１高さ規定部９と同様に、コの字形状の切り込み線３７、３９、４１が形成されている。第４−１高さ規定部１０に切り込み線３７、３９、４１を入れることにより、第２移動規制部１４ａ、１４ｂ、１４ｃが形成されている。
【００２７】
また、第４−１高さ規定部１０の短辺４９に沿う方向の両端には、それぞれ切り込み線３５が形成されている。切り込み線３５を介して第４−１高さ規定部１０と第４−２高さ規定部１１とは隣接している。また、切り込み線３５は、第４−１高さ規定部１０の長辺５５に沿って延びる辺よりも長く形成されている。また、第２移動規制部１４ａ、１４ｂ、１４ｃと、収容底面部１３とは、連接されている。
【００２８】
第２緩衝部６は、第１緩衝部５と同様に第２基部６Ａと、一対の第２腕部６Ｂとを有し、略コの字形状をなしている。第３−１高さ規定部９、第３−２高さ規定部８、収容底面部１３、第４−１高さ規定部１０、第４−２高さ規定部１１とによって、収容部を構成している。接続部１５は、略長方形をなし、第７折り曲げ線４７を介して第２緩衝部６と接続されている。
【００２９】
次に、図２に示した組み立て前の状態から図１に示した包装箱１への組み立て方法について、図１〜図５を参照しながら説明する。図３のように、第４折り曲げ線２９及び第７折り曲げ線４７を谷折りし、接続部１５の図２の紙面とは反対の面を第１高さ規定部１７に重ね合わせて、接着剤又はホッチキスで接続する。このとき、第１高さ規定部１７と第２緩衝部６とは対向している。また、底面部１９と、第４−１高さ規定部１０、収容底面部１３及び第３−１高さ規定部９とは対向している。更に、第２高さ規定部７と第１緩衝部５とは対向している。
【００３０】
次に図４に示すように、収容底面部１３を底面部１９と接触させた状態で、第２折り曲げ線２５、第３折り曲げ線２７、第８−１折り曲げ線４３、第８−２折り曲げ線４５、第９−１折り曲げ線４４、第９−２折り曲げ線４６を谷折りし、第５−１折り曲げ線３２、第５−２折り曲げ線３０、第６−１折り曲げ線３３、第６−２折り曲げ線３１を山折りにする。ただしここで折り方の山谷は、図４の包装箱を鉛直方向上方から見た状態で記述している。なおこのとき、第１移動規制部１２ａ、１２ｂ、１２ｃ及び第２移動規制部１４ａ、１４ｂ、１４ｃは、収容底面部１３と同一平面上に延在した状態を保つようにする。
【００３１】
図５に示すように、収容底面部１３を底面部１９と接触させた状態で、各折り曲げ線２５、２７、３０、３１、３２、３３、４３、４４、４５、４６を稜線とする角が約９０度になるまで折り曲げることにより、略直方体の包装箱１の組み立てが完了する。
【００３２】
組み立てられた状態で、蓋部３は、第１折り曲げ線２３を軸として回動可能に設けられ、第３−１高さ規定部９、第３−２高さ規定部８、収容底面部１３、第４−１高さ規定部１０、第４−２高さ規定部１１とによって画成された収容部を覆うことが可能である。また、第１高さ規定部１７、第２高さ規定部７、第３−１高さ規定部９、第３−２高さ規定部８、第４−１高さ規定部１０及び第４−２高さ規定部１１は、互いに対向して、鉛直方向に延びるように設けられる。また、底面部１９と、第１緩衝部５、第２緩衝部６、及び収容底面部１３とは対向している。また、第１移動規制部１２ａ、１２ｂ、１２ｃは、収容底面部１３と略同一面上に延び、第２高さ規定部７と第３−１高さ規定部９との間に位置している。第２移動規制部１４ａ、１４ｂ、１４ｃも同様に、収容底面部１３と略同一面上に延び、第１高さ規定部１７と第４−１高さ規定部１０との間に位置している。
【００３３】
次に、図１、図６及び図７を参照しながら包装箱１の緩衝機能について説明する。図６は、包装箱１に製品８０を収容した際の鉛直方向断面図であり、図７は上方から見た平面図である。
【００３４】
図６、図７に示すように、製品８０は、その一方の互いに対向する端面８２、８４を、それぞれ、第１緩衝部５の第１基部５Ａ、第３−１高さ規定部９、第２緩衝部６の第２基部６Ａ、及び第４−１高さ規定部１０に接触した状態で収容される。また製品８０の他方の互いに対向する端面８５、８６は、第１緩衝部５の第１腕部５Ｂ、５Ｂ、第３−２高さ規定部８、第２緩衝部６の第２腕部６Ｂ、６Ｂ、第４−２高さ規定部１１に接触した状態で収容されている。よって、包装箱１の第１緩衝部５及び第２緩衝部６は、収容された製品８０の、矢印Ａ、Ｂ、Ｃ、Ｄの４方向の移動を規制している。さらに、第１移動規制部１２ａ、１２ｂ、１２ｃ及び第２移動規制部１４ａ、１４ｂ、１４ｃは、製品８０の高さが低い場合に、第３−１高さ規定部９、第３−２高さ規定部８、第４−１高さ規定部１０、第４−２高さ規定部１１が図７の矢印Ａ、Ｂ方向に移動するのを防止する。
【００３５】
以上詳細に説明したように、第１の実施の形態による包装箱１は、長方形の包装材に折り線及び切り込みを形成し、組み立てるのみで形状化することができる。よって、製造時に包装材の無駄になる部分がない。また、各折り線は、包装材の長方形の２辺４９、５１に平行な方向のみに形成されるので、一回の折り曲げ作業で包装箱１の組み立てを行うことができ、嵌めこみ等の作業もなく、製造が容易である。さらに、コの字状の第１緩衝部５と第２緩衝部６とが互いに向き合っており、収容された製品８０の前後左右４方向の移動を防止できる。
【００３６】
包装箱１において収容部を、第３高さ規定部９、収容底面部１３、第４高さ規定部１０、第１移動規制部１２ａ、１２ｂ、１２ｃ、第２移動規制部１４ａ、１４ｂ、１４ｃで形成すると、第１移動規制部１２ａ、１２ｂ、１２ｃと第２移動規制部１４ａ、１４ｂ、１４ｃとにより、収容部に収容された製品８０の矢印Ａ、Ｂの２方向の移動がさらに規制される。よって、緩衝機能をより向上させることができる。
【００３７】
さらに、組み立て前の包装箱１は平面状にすることができるので、運搬、保存などの際に必要な空間が少なくてよい。
【００３８】
次に、図８を参照しながら、本発明の第２の実施の形態による緩衝機能付き包装箱１００について説明する。尚、第１の実施の形態の包装箱１と同一の構成については、同一の番号を付し説明を省略する。包装箱１００は、第１の実施の形態による包装箱１の、蓋部３を取り除いた部分と同一構成の蓋部包装箱１１０と底部包装箱１２０とを、互いに対向させた構成である。
【００３９】
すなわち、折り曲げ前の状態では、長方形状の包装材の一端側から他端側に向かって、蓋部包装箱１１０部分を構成する接続部１５、第２緩衝部６、第４−１高さ規定部１０、第４−２高さ規定部１１、収容底面部１３、第３−１高さ規定部９、第３−２高さ規定部８、第１緩衝部５、第２高さ規定部７、底面部１９、第１高さ規定部１７が配置される。さらに、底部包装箱１２０部分を構成する第１高さ規定部１７、底面部１９、第２高さ規定部７、第１緩衝部５、第３−１高さ規定部９、第３−２高さ規定部８、収容底面部１３、第４−１高さ規定部１０、第４−２高さ規定部１１、第２緩衝部６、および接続部１５が順に配置される。これは、図２の蓋部３に換えて、蓋部３以外の構成を第１折り曲げ線２３に対し線対称に配置して、第１折り曲げ線２３を介して接続した状態である。
【００４０】
このように構成された包装材を、第１の実施の形態による包装箱１と同様の手順で蓋部包装箱１１０及び底部包装箱１２０として形成する。蓋部包装箱１１０は、底部包装箱１２０に対し回動軸となる第１折り曲げ線２３を介して回動可能である。蓋部包装箱１１０と底部包装箱１２０との第１緩衝部５同士、第２緩衝部６同士は、互いに対向している。
【００４１】
ここで、蓋部包装箱１１０の接続部１５は上接続部、第２緩衝部６は第４緩衝部、第４−１高さ規定部１０、第４−２高さ規定部１１、収容底面部１３、第３−１高さ規定部９及び第３−２高さ規定部８は上収容部、第１緩衝部５は、第３緩衝部、第２高さ規定部７は第６高さ規定部、底面収容部１３は上面部、第１高さ規定部１７は第５高さ規定部に対応している。
【００４２】
包装箱１００に収納される製品は、第１緩衝部５と第２緩衝部６との互いに対向したコの字の開口部に収納される。蓋部包装箱１１０及び底部包装箱１２０の夫々の第１緩衝部５及び第２緩衝部６は、収納される製品の前後左右の移動を規制する。また、蓋部包装箱１１０及び底部包装箱１２０の夫々の収納底面部１３、１３は、収納される製品の上下の移動を規制する。
【００４３】
以上説明したように、第２の実施の形態による包装箱１００によっても、第１の実施の形態の包装箱１と同様の効果を得ることができる。さらに、第１緩衝部５の第１腕部５Ｂおよび第２緩衝部６の第２腕部６Ｂの短辺４９に沿う方向の長さを変えることにより、例えば階段形状の製品等、直方体以外の様々な形状の製品に対応した包装箱１００を提供することができる。
【００４４】
尚、本発明の緩衝機能付き包装箱は、上述した実施の形態に限定されず、特許請求の範囲に記載した範囲で種々の変形や改良が可能である。例えば、包装箱１、１００において、組み立て前の各部の構成順は上記例に限定されず、他の構成順でもよい。例えば、一端側の蓋部３に隣接して第１緩衝部５から第６緩衝部６までを形成し、その他端側に第１高さ規定部１７から第２高さ規定部７までを備え、さらに接続部１５を他端に設けるようにしてもよい。
【００４５】
また、収納される製品の形状に合わせて、第１緩衝部５、第２緩衝部６のコの字の形状を変形させるようにしてもよい。このとき、第１緩衝部５と第２緩衝部６とは同一形状でなくてもよく、また夫々が線対称なコの字でなくてもよい。さらに包装箱１の蓋部３、または包装箱１００の蓋部包装箱１１０は、別体に形成されるようにしてもよい。
【００４６】
第１移動規制部及び第２移動規制部を、第１移動規制部１２ａ、１２ｂ、１２ｃ、及び第２移動規制部１４ａ、１４ｂ、１４ｃのように各３箇所設けるようにしたが、各１箇所以上設けるようにしてもよい。また、必ずしも設けなくてもよい。
【００４７】
第１移動規制部１２ａ、１２ｂ、１２ｃ、及び第２移動規制部１４ａ、１４ｂ、１４ｃの形状は、長方形でなくてもよく、同様の作用効果があれば例えば半円形など他の形状でもよい。各折り曲げ線は、ミシン目を入れて形成しても良い。
【図面の簡単な説明】
【００４８】
【図１】本発明の第１の実施の形態による緩衝機能付き包装箱１の斜視図。
【図２】本発明の第１の実施の形態による緩衝機能付き包装箱１の展開図。
【図３】本発明の第１の実施の形態による緩衝機能付き包装箱１の組み立て方法を説明する図。
【図４】本発明の第１の実施の形態による緩衝機能付き包装箱１の組み立て方法を説明する図。
【図５】本発明の第１の実施の形態による緩衝機能付き包装箱１の組み立て方法を説明する図。
【図６】本発明の第１の実施の形態による緩衝機能付き包装箱１に製品８０が収納された状態を示す断面図。
【図７】本発明の第１の実施の形態による緩衝機能付き包装箱１に製品８０が収納された状態を示す平面図。
【図８】本発明の第２の実施の形態による緩衝機能付き包装箱１００の斜視図。
【符号の説明】
【００４９】
１  緩衝機能付き包装箱
３  蓋部
５  第１緩衝部
６  第２緩衝部
７  第２高さ規定部
８  第３−２高さ規定部
９  第３−１高さ規定部
１０  第４−１高さ規定部
１１  第４−２高さ規定部
１２ａ、１２ｂ、１２ｃ  第１移動規制部
１３  収納底面部
１４ａ、１４ｂ、１４ｃ  第２移動規制部
１５  接続部
１７  第１高さ規定部
１９  底面部
【図１】
2006273402.tif 000003
【図２】
2006273402.tif 000004
【図３】
2006273402.tif 000005
【図４】
2006273402.tif 000006
【図５】
2006273402.tif 000007
【図６】
2006273402.tif 000008
【図７】
2006273402.tif 000009
【図８】
2006273402.tif 000010